(57)【要約】【課題】表示バリエーションの自由度を高くできると共に、表示を見やすくする。【解決手段】表示装置１３は、スタートキー５を取り囲むように配設されており、これは複数の発光ダイオードＬ１〜Ｌ８を有して構成されている。この表示装置１３は、その発光ダイオードＬ１〜Ｌ８のいずれかが点灯し他のいずれかが消灯するように切り替えられ、且つこの切り替えが繰り返すように制御されるものである。【選択図】  図１
2004361042.tif 000002
【特許請求の範囲】
【請求項１】
被加熱物を収容する加熱室と、
被加熱物を加熱する加熱手段と、
押圧操作又は回動操作により加熱制御に関連する条件の設定や指示を行う操作子と、
複数の点灯可能な表示部を有し、この表示部を前記操作子を取り囲むように配置してなる表示手段と、
この表示手段のいずれかの表示部を点灯し他の表示部を消灯することを切り替え、この切り替えを繰り返えす表示制御手段と
を備えてなることを特徴とする加熱調理器。
【請求項２】
表示制御手段は、表示手段のいずれかの表示部を点灯し他の表示部を消灯することを切り替え、この切り替えを繰り返えすことにより、表示箇所が回転するところの回転表示形態を得ることを特徴とする請求項１記載の加熱調理器。
【請求項３】
表示制御手段は、加熱運転の経過時間に応じて表示手段の表示パターンを変更することを特徴とする請求項１または２記載の加熱調理器。
【請求項４】
加熱室または被加熱物の温度を測定する温度検出手段を有し、表示制御手段は、加熱運転時における温度検出手段の検出温度により表示手段の表示パターンを変更することを特徴とする請求項１または２記載の加熱調理器。
【請求項５】
加熱手段は出力変更可能であり、表示制御手段は、加熱運転時における出力に応じて表示手段の表示パターンを変更するようにしたことを特徴とする請求項１または２記載の加熱調理器。
【請求項６】
操作子として時間設定ダイヤルと加熱開始キーとを同一軸上に備え、この操作子を取り囲むように表示手段を設け、表示制御手段は、時間設定を促す場合に回転表示形態とすることを特徴とする請求項２記載の加熱調理器。
【請求項７】
表示パターンは点灯色による表示パターンであることを特徴とする請求項３ないし５のいずれかに記載の加熱調理器。
【請求項８】
デモンストレーション表示設定手段を備え、表示制御手段は、デモンストレーション表示設定がなされたときには、デモンストレーション表示用の表示パターンで表示動作することを特徴とする請求項１または２記載の加熱調理器。
【請求項９】
表示制御手段は、加熱室を開閉する扉の開閉に応じて表示パターンを変化させることを特徴とする請求項８記載の加熱調理器。
【発明の詳細な説明】
【０００１】
【発明の属する技術分野】
本発明は、表示について改良した加熱調理器に関する。
【０００２】
【従来の技術】
従来より、加熱調理器においては、加熱制御に関連する情報を表示したり、ダイヤルやキーなどといった操作子の操作に関連する情報を表示したりする表示手段を備えている。この種加熱調理器としては、押しボタンからなる加熱開始キーのスタート操作を促すときにこの加熱開始キー自体を点滅する構成としたものがある（例えば特許文献１）。
【０００３】
また、別の加熱調理器としては、加熱開始キーの横に複数の表示部を縦に並べた手順表示部を設けて、その複数の表示部のいずれかを点灯させる構成としたものがある（例えば特許文献２）。
【０００４】
【特許文献１】
特開平６−８８６１８号公報
【０００５】
【特許文献２】
特開平６−７４４５１号公報
【０００６】
【発明が解決しようとする課題】
しかしながら、上述した従来構成では、表示バリエーションが少ないと共に、表示自体が分かりにくいという欠点があった。
【０００７】
本発明は上記事情に鑑みてなされたものであり、その目的は、表示バリエーションの自由度を高くできると共に、表示が見やすくなる加熱調理器を提供するにある。
【０００８】
【課題を解決するための手段】
請求項１の発明は、被加熱物を収容する加熱室と、
被加熱物を加熱する加熱手段と、
押圧操作又は回動操作により加熱制御に関連する条件の設定や指示を行う操作子と、
複数の点灯可能な表示部を有し、この表示部を前記操作子を取り囲むように配置してなる表示手段と、
この表示手段のいずれかの表示部を点灯し他の表示部を消灯することを切り替え、この切り替えを繰り返えす表示制御手段と
を備えてなることを特徴とするものである。
【０００９】
これによれば、表示手段が操作子を取り囲むように設けられ、且つ、いずれかの表示部を点灯し他の表示部を消灯することを切り替え、この切り替えを繰り返えすから、表示バリエーションの自由度を高くできると共に、表示が見やすくなる。
【００１０】
請求項２の発明は、表示制御手段が、表示手段のいずれかの表示部を点灯し他の表示部を消灯することを切り替え、この切り替えを繰り返えすことにより、表示箇所が回転するところの回転表示形態を得ることを特徴とするものであり、これによれば、操作子の周りを表示箇所が回転するから、表示がさらに見やすく、表示のインパクト性も強くて表示を見落とすこともない。
【００１１】
請求項３の発明は、表示制御手段が、加熱運転の経過時間に応じて表示手段の表示パターンを変更することを特徴とするものであり、これによれば、加熱運転の時間経過を表示パターンの変更により良好に表示できる。
【００１２】
請求項４の発明は、加熱室または被加熱物の温度を測定する温度検出手段を有し、表示制御手段が、加熱運転時における温度検出手段の検出温度により表示手段の表示パターンを変更することを特徴とするものであり、これによれば、検出温度を表示パターンの変更により良好に表示できる。
【００１３】
請求項５の発明は、加熱手段が出力変更可能であり、表示制御手段が、加熱運転時における出力に応じて表示手段の表示パターンを変更するようにしたことを特徴とするものであり、これによれば、出力の変更を表示パターンの変更により良好に表示できる。
【００１４】
請求項６の発明は、操作子として時間設定ダイヤルと加熱開始キーとを同一軸上に備え、この操作子を取り囲むように表示手段を設け、表示制御手段が、時間設定を促す場合に回転表示形態とすることを特徴とするものであり、これによれば、回転表示により、ダイヤルを回して時間設定をするといった操作を分かりやすく促すことができる。
【００１５】
請求項７の発明は、表示パターンが点灯色による表示パターンであることを特徴とするものであり、これによれば、点灯色によって表示パターンが変化するから、さらに表示バリエーションの自由度が高くて表示内容がより分りやすくなる。
【００１６】
請求項８の発明は、デモンストレーション表示設定手段を備え、表示制御手段が、デモンストレーション表示設定がなされたときには、デモンストレーション表示用の表示パターンで表示動作することを特徴とするものであり、これによれば、店頭でのデモンストレーション時の表示バリエーションの自由度を高くできると共に、表示が見やすくなる。
【００１７】
請求項９の発明は、表示制御手段が、加熱室を開閉する扉の開閉に応じて表示パターンを変化させることを特徴とするものであり、これによれば、扉を開けた場合と閉じた場合とで表示パターンが変わり、デモンストレーションとしての表示効果が上がる。
【００１８】
【発明の実施の形態】
以下、本発明をオーブン機能付き電子レンジに適用した第１の実施例につき図１ないし図９を参照して説明する。まず、図２において、レンジ本体１の内部には被加熱物を収容する加熱室２が形成されており、レンジ本体１の前面には加熱室２を開閉するための扉３が設けられている。レンジ本体１の前面においてこの扉３の横の部位には、操作パネル４が設けられている。
【００１９】
この操作パネル４には、図４に示すように、いずれも操作子たる押圧操作される円形の加熱開始キーたるスタートキー５、回動操作される時間設定ダイヤル６、調理形態選択キー７ａ〜７ｅ、取消キー７ｆ、温度・仕上がり調節キー８ａ、８ｂ、生解凍キー９、飲み物キー１０などが備えられていると共に、液晶ディスプレー１２が備えられている。各キーは加熱制御に関連する条件の設定や指示を行うものである。
【００２０】
さらに、この操作パネル４には表示手段たる表示装置１３が設けられている。この表示装置１３は、図１及び図５に示すように、操作子たるスタートキー５を取り囲むように点灯可能な複数例えば８個の表示部たる発光ダイオードＬ１〜Ｌ８を備えて構成されている。各発光ダイオードＬ１〜Ｌ８は、光遮蔽壁１４によってスタートキー５の外周を８等分された部屋Ｈ１〜Ｈ８（図１には概略的に示している）に配置されている。そして、各部屋Ｈ１〜Ｈ８の上面（操作パネル１１と同じ高さの面）には光透過フィルタ１５が配設されている。なお、各発光ダイオードＬ１〜Ｌ８は同一発光色である。
【００２１】
なお、図５に示すように、前記スタートキー５の裏側にはプリント基板１６が配置されていて、このプリント基板１６にはスタートキー５によって押圧されて動作するスイッチ１７及び前記発光ダイオードＬ１〜Ｌ８が実装されている。さらに時間設定ダイヤル６に対応してロータリーエンコーダ２５（図３参照）また、図示しないが各キー７ａ〜７ｆ、８ａ、８ｂ、９、１０に対応してスイッチが設けられている。
【００２２】
図３には、電気的構成のブロック図を示している。制御回路１８はマイクロコンピュータ及び駆動回路並びにＡ／Ｄコンバータなどを含んで構成されており、加熱運転制御手段や表示制御手段として機能する。マイクロ波発生装置たるマグネトロン１９は、前記本体１の図示しない機械室に設けられていて、加熱室２内にマイクロ波を供給してレンジ調理を行うためのものである。ヒータ装置２０は、オーブン調理、あるいはグリル調理を行うためのものであり、加熱室２の上部に設けられたヒータ、下部に設けられたヒータなど（いずれも図示せず）を備えて構成されている。
【００２３】
温度検出手段たるオーブン用サーミスタ２１は、本体１に加熱室２内の温度を検出し得るように設けられている。別の温度検出手段たる赤外線温度センサ２２は本体１に被加熱物（食品）の温度を非接触で検出し得るように設けられている。スイッチ入力回路２３は前記スイッチ１７及びその他のスイッチを備えて構成されており、操作されたキーに応じたスイッチからのスイッチ信号を制御回路１８に入力するものである。扉開閉検出手段たる扉開閉センサ２４は、本体１に扉３の開放及び閉鎖を検出し得るように設けられている。ロータリーエンコーダ２５は前記時間設定ダイヤル６の回転操作に連動して回転量に応じたパルスを発生して制御回路１８に入力するようになっており、制御回路１８はそのパルス数に応じて時間を設定する。ターンテーブルモータ２６は、加熱室２内に設けられた回転皿（図示せず）を駆動するためのものである。
【００２４】
制御回路１８はそのマイクロコンピュータのメモリに保有した運転プログラムに従い、各入力に応じてマグネトロン１９、ヒータ装置２０、液晶ディスプレー１２、ターンテーブルモータ２６、発光ダイオードＬ１〜Ｌ２を制御するようになっている。なお、上記マグネトロン１９はその出力が可変である。
【００２５】
図８は、制御回路１８が行う表示制御について説明するためのフローチャートである。例えばレンジ調理用のキー７ｅが操作された場合の表示制御を示している。まず、時間設定ダイヤル６により調理時間の設定がなされ（ステップＳ１０で判断）、スタートキー５が操作されると（ステップＳ２０で判断）、以下、表示制御を行う。この表示制御は、図６に示すように、表示パターンを（ａ）、（ｂ）、（ｃ）、（ｄ）、（ｅ）、（ｆ）、（ｇ）、（ｈ）の順に切り替える制御を行うものであり、各表示パターンの切り替わり時間は、設定された調理時間のうち最初の１／６時間帯では、０．６秒間であり、次の１／６時間帯では０．５秒間、そして、順次、各１／６時間帯経過ごとに０．４秒、０．３秒、０．２秒、０．１秒となる。なお、図８において、ステップＳ１２０とステップＳ１３０との間の制御の図示は省略している。
【００２６】
すなわち、まず、発光ダイオードＬ１、Ｌ２、Ｌ３のみを点灯し（ステップＳ３０）、この点灯状態つまりこの表示パターン状態のパターン切替時間Ｔｓを０．６秒に設定する（ステップＳ４０）。そして、回転表示制御を行う（ステップＳ５０）。これの制御内容は、図９に示している。この図９のフローチャートは、パターン切替時間Ｔｓ（最初は０．６秒）ごとに表示パターンを切り替える。そのパターン切替時間Ｔｓが経過すると（ステップＲ１０の「ＹＥＳ」）、現時点が「Ｌ１、Ｌ２、Ｌ３のみ点灯」の表示パターンであると、「Ｌ２、Ｌ３、Ｌ４のみ点灯」表示パターンに切り替える（ステップＲ２０、ステップＲ３０）。以下、パターン切替時間Ｔｓが経過する同様に表示パターンを切り替える。
【００２７】
この結果、「Ｌ１、Ｌ２、Ｌ３のみ点灯」の表示パターン状態（図６（ａ））から、「Ｌ２、Ｌ３、Ｌ４のみ点灯」（同図（ｂ））、「Ｌ３、Ｌ４、Ｌ５のみ点灯」（同図（ｃ））、「Ｌ４、Ｌ５、Ｌ６のみ点灯」（同図（ｄ））、「Ｌ５、Ｌ６、Ｌ７のみ点灯」（同図（ｅ））、「Ｌ６、Ｌ７、Ｌ８のみ点灯」（同図（ｆ））、「Ｌ７、Ｌ８、Ｌ１のみ点灯」（同図（ｇ））、「Ｌ８、Ｌ１、Ｌ２のみ点灯」（同図（ｈ））の表示パターンを繰り返す。つまり、いずれかが点灯し他のいずれかが消灯することを切り替え、これを繰り返す。この表示パターンの切り換え及び繰り返しによって回転表示形態を得るものである。なお、図９においては、ステップＲ５０からステップＲ６０の間の制御の図示は省略している。
【００２８】
０．６秒時間間隔の表示パターン切り替えを、調理時間の最初の１／６時間帯で行い、以下、順次、１／６の時間帯を迎えるごとに、上述したように、０．５秒時間間隔、０．４秒時間間隔、０．３秒時間間隔、０．２秒時間間隔、０．１秒時間間隔の表示パターン切り替えとするものである（図７参照）。
【００２９】
このような本実施例によれば、表示装置１３がスタートキー５を取り囲むように設けられ、且つ、複数の発光ダイオードＬ１〜Ｌ８のいずれかが点灯し他のいずれかが消灯することを切り替え、この切り替えを繰り返すように制御するようにしたから、表示バリエーションの自由度を高くできると共に、表示が見やすくなる。
【００３０】
特に、回転表示形態を得るようにしたから、スタートキー５の周りを表示箇所が回転し、表示がさらに見やすく、表示のインパクト性も強くて表示を見落とすこともない。
【００３１】
また、調理時間（加熱運転の経過時間）に応じて表示装置１３の表示パターンを変更するようにしたから、加熱運転の時間経過を表示パターンの変更により良好に表示できる。特に、最初（調理時間の１／６時間帯）は表示パターンを０．６秒ごとに切り替えることで、１回転が４．８秒で、次の１／６時間帯が１回転４．０秒、以下、３．２秒、２．４秒、１．６秒、０．８秒と早くなるので、つまり、回転表示の回転速度が速くなるので、加熱の進行状況が分かりやすくなる。
【００３２】
なお、表示パターンの切り替え時間は固定的（例えば０．５秒）であっても良く、この場合、表示パターンが０．５秒ごとに切り替わって及び繰り返して回転表示されるので、加熱運転中であることを良好に表示できる。
【００３３】
図１０は本発明の第２の実施例を示しており、例えば、レンジ調理において赤外線温度センサ２２により被加熱物の温度を検出するようにしており、その検出温度が４０℃になるまでは「０．６秒時間間隔表示パターン切り替え」を行い、その後、４０℃を超え５０℃にまるまでは、「０．５秒時間間隔表示パターン切り替え」を行い、５０℃を超え６０℃にまるまでは、「０．４秒時間間隔表示パターン切り替え」を行い、６０℃を超え７０℃にまるまでは、「０．３秒時間間隔表示パターン切り替え」を行い、７０℃を超え８０℃にまるまでは、「０．２秒時間間隔表示パターン切り替え」を行い、８０℃を超えると「０．１秒時間間隔表示パターン切り替え」を行うようにしている。これによれば、検出温度つまりは食品の温度を表示パターンの変更により良好に表示できる。特に、回転表示の回転速度の上昇により食品温度の上昇を良好に表示できる。
この場合、オーブン調理の場合には、オーブン用サーミスタ２１の検出温度の所定温度の上昇に応じて表示パターンの切り替えを行うようにしても良い。
【００３４】
図１１は本発明の第３の実施例を示している。例えば煮込み調理メニューを選択した場合には、最初にマグネトロン１９の出力を上げて順次下げることを行う。この場合に、この実施例においては、その出力の変化に応じて「表示パターン切り替え」の時間間隔を変えるようにしている。
【００３５】
すなわち、その出力が２００Ｗ以下のときには「０．６秒時間間隔表示パターン切り替え」を行い、２００Ｗを超え４００Ｗ以下のときには「０．５秒時間間隔表示パターン切り替え」を行い、４００Ｗを超え６００Ｗ以下のときには「０．４秒時間間隔表示パターン切り替え」を行い、６００Ｗを超え８００Ｗ以下のときには「０．３秒時間間隔表示パターン切り替え」を行い、８００Ｗを超え１０００Ｗ以下のときには「０．２秒時間間隔表示パターン切り替え」を行い、１０００Ｗを超えると「０．１秒時間間隔表示パターン切り替え」を行うようにしている。この実施例によれば、出力の変更を表示パターンの変更により良好に表示できる。
【００３６】
図１２ないし図１６は本発明の第４の実施例を示しており、この実施例においては次の点が第１の実施例と異なる。すなわち、操作子３１は、時間設定ダイヤルと加熱開始キーとを兼用するものであり、プッシュ可能（加熱開始キーとして機能）で且つ回転可能（時間設定ダイヤルとして機能）な構成となっている。つまり、操作子３１は時間設定ダイヤルと加熱開始キーとを同一軸上に備えた構成である。
【００３７】
この操作子３１の裏側に対向してスイッチ付きロータリーエンコーダ３２が配設されている。このスイッチ付きロータリーエンコーダ３２は、操作子３１が押圧（プッシュ）されるとスイッチが動作し、操作子３１が回転操作されるとロータリーエンコーダが動作する。この操作子３１を取り囲むように表示装置１３が設けられている。
【００３８】
図１４に示すフローチャートは第１の実施例の図８のフローチャートと次の点が異なる。すなわち、加熱調理時間設定前においては時間設定を促す表示を行うようにしている。つまり、ステップＳ１〜ステップＳ３に示すように、パターン切替時間を０．６秒に設定すると共に、最初の表示パターンを「Ｌ１、Ｌ２、Ｌ５、Ｌ６のみ点灯」として各発光ダイオードＬ１、Ｌ２、Ｌ５、Ｌ６を点灯させる（ステップＳ１）。そして操作促し表示制御を行う（ステップＳ２）。これの制御内容は図１５に示しており、その制御内容は、「Ｌ１、Ｌ２、Ｌ５、Ｌ６のみ点灯」なる表示パターン（ステップＳ１、図１６（ｄ））から０．６秒が経過するごとに「Ｌ２、Ｌ３、Ｌ６、Ｌ７のみ点灯」（ステップＰ３０、図１６（ａ））、「Ｌ３、Ｌ４、Ｌ７、Ｌ８のみ点灯」（ステップＰ５０、図１６（ｂ））、「Ｌ４、Ｌ５、Ｌ８、Ｌ１のみ点灯」（ステップＰ７０、図１６（ｃ））、「Ｌ５、Ｌ６、Ｌ１、Ｌ２のみ点灯」（ステップＰ８０、図１６（ｄ））と切り替え及び繰り返され、回転表示形態が得られる。
この第４の実施例によれば、回転表示により、操作子３１を回して時間設定をするといった操作を分かりやすく促すことができる。この場合、時間設定を促す表示形態と加熱運転時での表示形態とが違うから、表示内容が、時間設定を促すための表示であるか、加熱運転であることの表示であるのか、使用者が容易に分かるようになる。なお、操作子３１は、スタートキーの周囲にリング状の時間設定ダイヤルを同一軸上に設ける構成としても良く、その時間設定ダイヤルを取り囲むように表示手段を設けるようにしても良い。
【００３９】
図１７及び図１８は本発明の第５の実施例を示しており、発光ダイオードＬ１〜Ｌ８のうちＬ１、Ｌ３、Ｌ５、Ｌ７は赤色の発光色で、Ｌ２、Ｌ４、Ｌ６、Ｌ８は黄色の発光色としている。この実施例によれば、点灯色によって表示パターンが変化するから、さらに表示バリエーションの自由度が高くて表示内容がより分りやすくなる。
【００４０】
図１９ないし図２１は本発明の第６の実施例を示しており、この実施例では、発光ダイオードＬ１〜Ｌ８を例えば多色発光ダイオードから構成しており、この多色発光ダイオードは、赤色発光素子Ｌｒと緑色発光素子Ｌｇとを備えて構成されていて、それぞれ、スイッチング素子としてＮＰＮトランジスタを備えた駆動回路Ｄｒ、Ｄｇにより駆動（発光）されるようになっている。
【００４１】
この多色発光ダイオードは、図２０に示すように、赤色発光素子Ｌｒ消灯と緑色発光素子Ｌｇ点灯で全体として緑色を発光し、赤色発光素子Ｌｒ点滅と緑色発光素子Ｌｇ点灯で全体として黄緑色を発光し、赤色発光素子Ｌｒと緑色発光素子Ｌｇとの交互点灯で全体として黄色を発光し、赤色発光素子Ｌｒ点灯と緑色発光素子Ｌｇ点滅で全体としてオレンジ色を発光し、赤色発光素子Ｌｒ点灯と緑色発光素子Ｌｇ消灯で全体として赤色を発光する。
【００４２】
そして、図２１に示すように、加熱調理時間の最初の１／５の時間帯は緑色、以下、順次黄緑色、黄色、オレンジ色、赤色と発光色を変えてゆく（表示パターン）を変更する。この場合、回転表示形態を合わせて行うと良い。
【００４３】
この実施例においても、点灯色によって表示パターンが変化するから、さらに表示バリエーションの自由度が高くて表示内容がより分りやすくなる。特に、時間経過と共に暖色の赤色の方へ変化させるので、使用者に加熱の進行状況を分かりやすく示すことができる。
【００４４】
この場合、本発明の第７の実施例として示す図２２のように、オーブン用サーミスタ２１の検出温度に応じて発光色を変更するようにしても良く、このようにすると、温度上昇と共に表示色が暖色の赤色の方へ変化させるので、使用者に加熱温度の上昇状況を分かりやすく示すことができる。また、本発明の第８の実施例として示す図２３のようにマグネトロン１９の出力に応じて発光色を変更するようにしても良く、この場合には出力が大きくなるほど表示色が暖色の赤色の方へ変化させるので、使用者に出力の上昇状況を分かりやすく示すことができる。
【００４５】
図２４は本発明の第９の実施例を示しており、この実施例では、例えば赤色発光ダイオードを連続点灯して赤色発光する場合と、短い周期で間欠点灯して暗い赤色を発光する場合とを選択し得る構成とし、赤色表示箇所（図２４の領域Ｒ）に引き続いて暗い赤色表示（領域ＤＲ）を行うようにしている。このような回転表示形態の場合、発光部分が尾を引いて移動しているような視覚効果が得られる。
【００４６】
本発明は上記実施例に限られず、次のように実施しても良い。すなわち、例えば複数キーの同時押し操作によりデモンストレーション表示設定をするデモンストレーション表示設定手段を備え、このデモンストレーション表示設定がなされたときには、制御装置１８が表示装置１３をデモンストレーション表示用の表示パターンで表示動作させるようにしても良い。これによれば、店頭でのデモンストレーション時の表示バリエーションの自由度を高くできると共に、表示が見やすくなる。
【００４７】
この場合、加熱室２を開閉する扉３の開閉に応じて表示パターンを変化させるようにしても良く、このようにすれば、扉３を開けた場合と閉じた場合とで表示パターンが変わり、デモンストレーションとしての表示効果が上がる。
【００４８】
【発明の効果】
本発明は以上の説明から明らかなように、加熱調理器において、表示バリエーションの自由度を高くできると共に、表示が見やすくなる。
【図面の簡単な説明】
【図１】本発明の第１実施例を示す加熱開始キー部分の正面図
【図２】加熱調理器の斜視図
【図３】電気的構成のブロック図
【図４】操作パネルの正面図
【図５】加熱開始キー部分の縦断正面図
【図６】表示パターンの変化を示す図
【図７】表示パターン切替時間と加熱運転の経過時間との関係を示す図
【図８】制御内容を示すフローチャート
【図９】回転表示制御内容を示すフローチャート
【図１０】本発明の第２の実施例を示す表示パターン切替時間と検出温度との関係を示す図
【図１１】本発明の第３の実施例を示す表示パターン切替時間と出力との関係を示す図
【図１２】本発明の第４の実施例を示す操作パネルの正面図
【図１３】操作子部分の縦断正面図
【図１４】制御内容を示すフローチャート
【図１５】操作促し表示制御内容を示すフローチャート
【図１６】表示パターンの変化を示す図
【図１７】本発明の第５の実施例を示す図１相当図
【図１８】各発光ダイオードと発光色との関係を示す図
【図１９】本発明の第６の実施例を示す多色発光ダイオード及び駆動回路の電気回路図
【図２０】赤色発光素子Ｌｒと緑色発光素子Ｌｇとの発光パターンと全体発光色との関係を示す図
【図２１】加熱運転の経過時間と発光色との関係を示す図
【図２２】本発明の第７の実施例を係り、検出温度と発光色との関係を示す図
【図２３】本発明の第８の実施例に係り、出力と発光色との関係を示す図
【図２４】本発明の第９の実施例に係り、表示パターンの変化を示す図
【符号の説明】
１はレンジ本体、２は加熱室、３は扉、５はスタートキー（加熱開始キー、操作子）、６は時間設定ダイヤル（操作子）、１３は表示装置（表示手段）、Ｌ１〜Ｌ８は発光ダイオード（表示部）、１７はスイッチ、１８は制御回路（表示制御手段）、１９はマグネトロン、２０はヒータ装置、２１はオーブン用サーミスタ（温度検出手段）、２２は赤外線温度センサ（温度検出手段）、２４は扉開閉センサ（扉開閉検出手段）、３１は操作子、３２はスイッチ付きロータリーエンコーダ、Ｌｒは赤色発光素子、Ｌｇは緑色発光素子を示す。
【図１】
2004361042.tif 000003
【図２】
2004361042.tif 000004
【図３】
2004361042.tif 000005
【図４】
2004361042.tif 000006
【図５】
2004361042.tif 000007
【図６】
2004361042.tif 000008
【図７】
2004361042.tif 000009
【図８】
2004361042.tif 000010
【図９】
2004361042.tif 000011
【図１０】
2004361042.tif 000012
【図１１】
2004361042.tif 000013
【図１２】
2004361042.tif 000014
【図１３】
2004361042.tif 000015
【図１４】
2004361042.tif 000016
【図１５】
2004361042.tif 000017
【図１６】
2004361042.tif 000018
【図１７】
2004361042.tif 000019
【図１８】
2004361042.tif 000020
【図１９】
2004361042.tif 000021
【図２０】
2004361042.tif 000022
【図２１】
2004361042.tif 000023
【図２２】
2004361042.tif 000024
【図２３】
2004361042.tif 000025
【図２４】
2004361042.tif 000026